(57)【要約】【課題】異常発生時の運転状態を表示する。【解決手段】  本発明は、エレベータ制御装置２におけるエレベータの運転状態を携帯端末４に表示出力させるエレベータ運転状態表示システムである。  そして、エレベータ制御装置２に対して、異常発生を検出する手段２９と、検出された異常発生時点におけるエレベータの運転状態３２を収集してドットパターンに変換して、かご位置表示器１５に表示する手段とを備えている。さらに、携帯端末４に対して、操作指示に応じてかご位置表示器１５に表示されたドットパターンを撮影する手段４７と、撮影されたドットパターンを元の運転状態に復調する手段４８と、復調された運転状態を表示器４１に表示出力する手段４１とを備えている。【選択図】      図１
2008037519.tif 000002
【特許請求の範囲】
【請求項１】
建屋の各階の乗場に設けられた乗場呼び登録装置で登録された乗場呼びが指定する階へエレベータのかごを移動制御するとともに、前記かごの現在位置を前記乗場に設けられたかご位置表示器にドット文字形式で表示するエレベータ制御装置におけるエレベータの運転状態を携帯端末に表示出力させるエレベータ運転状態表示システムであって、
前記エレベータ制御装置は、異常発生を検出する手段と、検出された異常発生時点におけるエレベータの運転状態を収集してドットパターンに変換して、前記かご位置表示器に表示する手段とを備え、
前記携帯端末は、操作指示に応じて前記かご位置表示器に表示されたドットパターンを撮影する手段と、撮影されたドットパターンを元の運転状態に復調する手段と、復調された運転状態を表示器に表示出力する手段とを備えた
ことを特徴とするエレベータ運転状態表示システム。
【請求項２】
前記エレベータ制御装置は、前記変換したドットパターンを一旦記憶保持する手段を設け、前記かご位置表示器に表示する手段は、前記乗場呼び登録装置における組合せボタン操作に応じて前記ドットパターンを前記かご位置表示器に表示する
ことを特徴とする請求項１記載のエレベータ運転状態表示システム。
【請求項３】
建屋の各階の乗場に設けられた乗場呼び登録装置で登録された乗場呼びが指定する階へエレベータのかごを移動制御するとともに、前記かごの現在位置を前記乗場に設けられたかご位置表示器にドット文字形式で表示するエレベータ制御装置におけるエレベータの運転状態を携帯端末に表示出力させるエレベータ運転状態表示システムであって、
前記エレベータ制御装置は、異常発生を検出する手段と、検出された異常発生時点におけるエレベータの運転状態を収集してドットパターンに変換して、前記かご位置表示器に表示する手段とを備え、
前記携帯端末は、前記かご位置表示器に前記ドットパターンが表示された状態で、キーボードから操作入力されたドットパターンを元の運転状態に復調する手段と、復調された運転状態を表示器に表示出力する手段とを備えた
ことを特徴とするエレベータ運転状態表示システム。
【請求項４】
建屋の各階の乗場に設けられた乗場呼び登録装置で登録された乗場呼びが指定する階へエレベータのかごを移動制御するとともに、前記かごの現在位置を前記乗場に設けられたかご位置表示器にドット文字形式で表示するエレベータ制御装置におけるエレベータの運転状態を携帯端末に表示出力させるエレベータ運転状態表示システムであって、
前記エレベータ制御装置は、異常発生を検出する手段と、検出された異常発生時点におけるエレベータの運転状態を収集して複数枚のドットパターンに変換して記憶保持する手段と、前記乗場呼び登録装置における組合せボタン操作に応じて前記複数のドットパターンを前記かご位置表示器に連続して動画として表示する手段とを備え、
前記携帯端末は、操作指示に応じて前記かご位置表示器に表示された動画を撮影する手段と、撮影された動画を元の複数枚のドットパターンに分離する手段と、分離された各ドットパターンを元の運転状態に復調する手段と、復調された運転状態を表示器に表示出力する手段とを備えた
ことを特徴とするエレベータ運転状態表示システム。
【請求項５】
前記エレベータ制御装置は、前記乗場呼び登録装置における同一ボタン操作が実施される毎に、前記記憶された複数枚のドットパターンを１枚づつ順番に前記かご位置表示器に表示していく手段を備えたことを特徴とする請求項４記載のエレベータ運転状態表示システム。
【請求項６】
前記エレベータ制御装置は、前記乗場呼び登録装置における特定組合せ一ボタン操作に応じて前記動画を再度表示する手段を備えたことを特徴とする請求項４又は５記載のエレベータ運転状態表示システム。
【発明の詳細な説明】
【技術分野】
【０００１】
本発明は、建屋に組込まれたエレベータシステムに係わり、特に地震発生等の異常が発生した場合におけるエレベータの運転状態を、携帯電話等の携帯端末で簡単に確認可能にしたエレベータ運転状態表示システムに関する。
【背景技術】
【０００２】
近代都市において地震が発生した場合に、最も影響が受けやすい施設としてエレベータがある。したがって、地震による影響によって、エレベータの異常や閉じ込め事故をどのように解決していくかが重要な課題となっている。
【０００３】
地震の場合、震源地や規模によっては、どうしても防ぐことができないエレベータ故障が発生する場合がある。このような場合に、閉じ込め事故が発生したエレベータが設置されている建物を最優先として、閉じ込められた利用客の救出作業の実施と、災害時に重要な指示系統の拠点となる建物や高層マンションのエレベータに対する故障の早期における復旧作業の実施とが重要となってくる。
【０００４】
この閉じ込め事故の復旧や故障の復旧を効率的に行うためには、異常発生時、又は故障発生時において、エレベータがどのような運転状態であったかを、敏速かつ、正確に把握する必要がある。このことは、エレベータが、異常発生時に停止してそのまま動かなかった状態以外においても、例えば地震検出して、管制運転した後に最寄階へ移動して、この最寄階に停止した後においても、エレベータの保守・点検を行った後に、エレベータを再起動するために必要なことである。
【０００５】
次に、エレベータの運転状態を得る手段として下記に示す３つの一般的手法について説明する。
【０００６】
第１の手法においては、エレベータのかごを実際に運転制御するコンピュータからなるエレベータ制御装置よりデータを入手し、解析して情報を得る。例えば、メンテナンス装置と称する携帯型の端末装置を信号線を介して、エレベータ制御装置に接続する。そして、メンテナンス装置からエレベータ制御装置の各メモリをアクセスし、かご内乗客の有無、安全回路、各階のドアスイッチ、かご内照明等の情報を得て、メンテナンス装置の表示画画面に表示出力させる。
【０００７】
第２の手法においては、各エレベータは、通信回線を介してエレベータの保守管理会社の監視センターに接続されているが、各エレベータに異常が発生すると、異常発生情報と共に当該異常の簡単な原因が通信回線を介して、監視センターへ送信される。また、かご内に閉じ込められた利用客は、監視センターの監視員とインタホンを介して通話が可能である。したがって、監視センターの監視員は、各エレベータの異常の有無、異常原因を把握できる。監視センターの監視員は、故障が発生したエレベータに保守員を派遣して、保守員に保守、修理の指示を指示する。
【０００８】
また、第３の手法として、特許文献１に記載されている手法がある。この手法においては、エレベータが地震等で、停止した場合に、監視カメラで被害状態を撮影して、監視センターへ送信する。そして、監視センターの監視員はこの機械室やかご内の状態に基づいて異常原因を把握する。監視センターの監視員は、第２の手法と同様に故障が発生したエレベータに保守員を派遣して、保守員に保守、修理の指示を指示する。
【特許文献１】特開平５−１３９６４２号公報
【発明の開示】
【発明が解決しようとする課題】
【０００９】
しかしながら、上述した第１、第２、第３の手法においても、まだ解消すべき次のような課題があった。
【００１０】
すなわち、上記第１、第２、第３の手法においては、一旦、異常が生じてその場で停止してしまって動かないエレベータは勿論のこと、異常発生後、管制運転で最寄階へ移動してその最寄階に停止したエレベータは、保守管理会社の保守員の保守・点検が終了後の復旧操作にて、異常発生前の状態に戻る。
【００１１】
しかしながら、異常の原因が地震等の災害が広域に及ぶ場合、多数のエレベータに同時に異常が発生し、被害状況も拡大する恐れがある。エレベータの保守管理会社に所属する保守員のみでは、自己の保守管理会社が契約した全部のエレベータの保守・点検、復旧作業を短時間で終了することは不可能である。
【００１２】
また、地震等の広域災害の発生時においては、各エレベータと監視センターとを接続する通信回線も接続されにくくなる。
【００１３】
本発明は、このような事情に鑑みてなされたものであり、地震等の異常発生時におけるエレベータの詳細な運転状態を、エレベータに対する専門知識を有する保守員以外のエレベータに対する初級知識を有するビルオーナ等の関係者に提供することができ、ビルオーナ等の関係者が簡易的な仮の復旧作業を実施可能とし、エレベータの停止期間を短縮でき、ビルオーナや利用客に対するサービスを向上できるエレベータ運転状態表示システムを提供することを目的とする。
【課題を解決するための手段】
【００１４】
上記課題を解消するために、本発明のエレベータ運転状態表示システムは、建屋の各階の乗場に設けられた乗場呼び登録装置で登録された乗場呼びが指定する階へエレベータのかごを移動制御するとともに、かごの現在位置を乗場に設けられたかご位置表示器にドット文字形式で表示するエレベータ制御装置におけるエレベータの運転状態を携帯端末に表示出力させる。
【００１５】
そして、エレベータ制御装置は、異常発生を検出する手段と、検出された異常発生時点におけるエレベータの運転状態を収集してドットパターンに変換して、かご位置表示器に表示する手段とを備えている。さらに、携帯端末は、操作指示に応じてかご位置表示器に表示されたドットパターンを撮影する手段と、撮影されたドットパターンを元の運転状態に復調する手段と、復調された運転状態を表示器に表示出力する手段とを備えている。
【００１６】
このように構成されたエレベータ運転状態表示システムにおいては、例えば、地震等の異常が発生すると、異常発生時点におけるエレベータの運転状態が収集されてドットパターンに変換されて、乗場に設けられたかご位置表示器にドット表示される。
【００１７】
このかご位置表示器に表示されたドットパターンは、例えばビルオーナーや警備会社の警備員等の当該エレベータの関係者が所持する携帯端末に組込まれているカメラで撮影され、元の運転状態に復調されてこの携帯端末の表示部に表示出力される。
【００１８】
したがって、ビルオーナーや警備会社の警備員等の当該エレベータの関係者は、異常発生時のエレベータ運転状態の詳細が把握できるので、たとえ、エレベータの保守管理会社の保守員がいなくても、簡易的な仮の復旧作業を実施でき、利用者の閉じ込め状態の長期化を防止できる。
【００１９】
また、別の発明は、上記発明のエレベータ運転状態表示システムにおいて、エレベータ制御装置は、変換したドットパターンを一旦記憶保持する手段を設け、かご位置表示器に表示する手段は、乗場呼び登録装置における組合せボタン操作に応じてドットパターンをかご位置表示器に表示するようにしている。
【００２０】
このような構成においては、異常発生時点におけるエレベータの運転状態が収集されてドットパターンは記憶保持される。そして、ビルオーナーや警備会社の警備員等の関係者が必要とした時に、乗場呼び登録装置における組合せボタン操作を実行すれば、ドットパターンが表示されるので、携帯端末で撮影して異常発生時のエレベータ運転状態の詳細を把握することが可能となる。
【００２１】
また別の発明のエレベータ運転状態表示システムにおいては、エレベータ制御装置は、異常発生を検出する手段と、検出された異常発生時点におけるエレベータの運転状態を収集してドットパターンに変換して、かご位置表示器に表示する手段とを備えている。さらに、携帯端末は、かご位置表示器にドットパターンが表示された状態で、キーボードから操作入力入力されたドットパターンを元の運転状態に復調する手段と、復調された運転状態を表示器に表示出力する手段とを備えている。
【００２２】
このように構成されたエレベータ運転状態表示システムにおいては、カメラ機能を有さない携帯端末においては、かご位置表示器に表示されたドットパターンを見ながら、キーボードを用いて、このドットパターンを操作入力すればよい。
【００２３】
また、別の発明においては、エレベータ制御装置に対して、異常発生を検出する手段と、検出された異常発生時点におけるエレベータの運転状態を収集して複数枚のドットパターンに変換して記憶保持する手段と、乗場呼び登録装置における組合せボタン操作に応じて複数のドットパターンをかご位置表示器に連続して動画として表示する手段とを備えている。
【００２４】
さらに、携帯端末に対して、操作指示に応じてかご位置表示器に表示された動画を撮影する手段と、撮影された動画を元の複数枚のドットパターンに分離する手段と、分離された各ドットパターンを元の運転状態に復調する手段と、復調された運転状態を表示器に表示出力する手段とを備えている。
【００２５】
このような構成においては、異常発生時点におけるエレベータの運転状態のデータ量が多い場合は、このエレベータの運転状態を複数枚のドットパターンに分割して、この複数枚のドットパターンを動画として表示し、携帯端末は、この動画を撮影して、撮影した動画を元の複数のドットパターンに戻し、各ドットパターンからデータ量の多いエレベータの運転状態が得られる。
【００２６】
また、別の発明は、エレベータ制御装置は、乗場呼び登録装置における同一ボタン操作が実施される毎に、記憶された複数枚のドットパターンを１枚づつ順番にかご位置表示器に表示していく手段を備えている。
【００２７】
さらに、別の発明においては、エレベータ制御装置は、乗場呼び登録装置における特定組合せ一ボタン操作に応じて動画を再度表示する手段を備えている。
【００２８】
このように、一度、表示された動画を１コマ（１枚のドットパターン）毎に、順番に表示させたり、再度動画を表示させることができる。
【発明の効果】
【００２９】
本発明においては、エレベータの運転状態をドットパターンに変換して、通常状態においてかご位置をドット文字で表示するかご位置表示器に表示し、携帯端末で表示されたドットパターンを読取り、元のエレベータの運転状態に復調している。
【００３０】
したがって、地震等の異常発生時におけるエレベータの詳細な運転状態をビルオーナ等の関係者に簡単に提供することができ、ビルオーナ等の当該エレベータの関係者が簡易的な仮の復旧作業を実施可能とし、エレベータの停止期間を短縮でき、ビルオーナや利用客に対するサービスを向上できる。
【発明を実施するための最良の形態】
【００３１】
以下、本発明の各実施形態を図面を用いて説明する。
【００３２】
（第１実施形態）
図１は本発明の第１実施形態に係わるエレベータ運転状態表示システムの概略構成図である。
【００３３】
このエレベータ運転状態表示システムは、大きく分けて、エレベータのかごを移動制御するエレベータ制御部２と、例えばビルオーナ３が所持する携帯端末４とで構成されている。
【００３４】
建屋における各階を貫通したエレベータの昇降路５の上側に設けられた機械室に巻上機６が設置されており、この巻上機６の電動機７の軸に取付けられたシーブに対して、一端にかご１が取付けられ他端に釣合重り８が取付けられた主ロープ９が掛けられている。
【００３５】
巻上機６の電動機７には、外部の交流電源１０から供給された三相交流が電力変換部１１で、指定された周波数及び電圧を有する交流信号に変換されて印加される。さらに、電動機７の軸には、エンコーダが取付けられており、かご位置検出部１２は、このエンコーダから出力される電動機７の軸の回転数及び回転角度位置からかご１の階数で示したかごの現在位置を出力する。
【００３６】
各階のエレベータホール（乗場）には、図２（ａ）（ｂ）（ｃ）に示すように、利用者が乗場呼びを登録するための乗場呼び登録装置１３が設けられている。この乗場呼び登録装置１３には、上方、下方の２つの呼びボタン１４と、かご位置検出部１２で検出されたかご１の現在位置をドット文字形式で表示するかご位置表示器１５と、かご１の移動方向を示す方向表示器１６が組込まれている。
【００３７】
基準階である１Ｆ（１階）の乗場呼び登録装置１３には、上方の呼びボタン１４のみが設けられ、かつ、このエレベータの関係者（ビルオーナー３、ビル管理者、警備会社職員、マンション組合管理事務局員）等が、鍵を差込んで操作するパーキングスイッチ１７が設けられている。具体的には、この鍵を用いてパーキングスイッチ１７を投入すると、エレベータは、各階の乗場呼びを受付けない待機状態に移行する。例えば、引っ越しの場合にかご１に荷物を搬入して輸送する場合に用いる。
【００３８】
また、最上階の乗場呼び登録装置１３には、図２（ｃ）に示すように、下方の呼びボタン１４のみが設けられている。かご位置表示器１５は、図２（ｄ）に示すように、縦７ドット、横１１ドットの合計７７ドットでドット文字を表示する。図２（ｄ）においては１階を示す「１」の文字が表示されている。
【００３９】
各階の乗場呼び登録装置１３で登録された各乗場呼びは伝送部１８を介してかご運転制御部１９へ入力される。また、かご位置検出部１２で検出されたかご１の現在位置は伝送部１８を介して各階の乗場呼び登録装置１３のかご位置表示器１５へ送信される。
【００４０】
前記かご１内には、図３に示すかご呼び登録装置２０が設けられている。かご呼び登録装置２０には、利用客が目的階を指定したかご呼びを登録するための１Ｆから８Ｆまでの８個の階指定ボタン２１が設けられている。さらに、かご呼び登録装置２０には、開閉ボタン２２、非常ボタン２３、及び非常時に監視センター２４の監視員と通話を行うためのインタホン２５が設けられている。かご呼び登録装置２０で登録されたかご呼びはかご運転制御部１９へ入力される。
【００４１】
さらに、かご１には、かご１に利用者が搭乗しているか否か、搭乗している場合はその概略人数を検出するための重量計２６が取付けられている。重量計２６で検出された搭乗者の有無、概略人数は運転状態収集部２７へ送信される。
【００４２】
かご運転制御部１９は、各乗場呼び登録装置１３から乗場呼び、又はかご呼び登録装置２０からかご呼びが入力すると、ＰＷＭ（パルス幅変調）信号を電力変換部１１のインバータへ送出して、電動機７を駆動して、かご１を呼びが指定する階へ移動させる。かご１が該当階へ到着したことを、かご位置検出部１２から出力されるかごの現在位置で確認する。
【００４３】
また、前記機械室内には、地震計２８が設置されており、この地震計２８は、予め定められた一定以上の振動を検出すると地震検知信号を異常検出部２９へ送出する。異常検出部２９は地震検知信号を受信すると、かご運転制御部１９へ管制運転指示を送出する。さらに、異常検出部２９は運転状態収集部２７及び通信部３０へ起動指示、送信指示を送出する。通信部３０は通信回線３１を介して監視センター２４へ、運転状態収集部２７で収集された、異常発生（地震発生時点）におけるエレベータの図６（ｂ）に示す運転状態３２を付した地震発生情報を送信する。
【００４４】
かご運転制御部１９は異常検出部２９から管制運転指示が入力すると、この時点で走行中のかご１を各呼びに応答させる前述した通常運転を中止し、走行中のかご１を最寄階に移動させて、その最寄階で停止して、この最寄階における停止状態で、エレベータの運転を停止する管制運転を実施する。
【００４５】
運転状態収集部２７は、異常検出部２９から運転状態収集指令が入力されると、この異常発生時点における例えば図６（ｂ）に示すエレベータの運転状態３２を、かご位置検出部１２，かご移動制御部１９、重量計２６等から収集する。この実施形態においては、
エレベータ運転状態（標題）
号機情報…（図１においては１号機のみ）
運行状況…運行中、停止中を示し、停止の場合は何時何分に停止し、推定される停止原因の表示
かご室の乗客数…搭乗者有無、推定される人数
救出ボタンが押されたかの表示とサービスセンターへの発報状況
救出運転が可能かの判断表示
等がある。
【００４６】
簡易復旧作業メモリ３７内には、図６（ｂ）に示すエレベータの運転状態３２を確認して、前述したエレベータの関係者（ビルオーナー３、ビル管理者、警備会社職員、マンション組合管理事務局員）が実施するエレベータに対する複数種類の簡易復旧作業の手順が記憶されている。
【００４７】
パターンメモリ３３内には、図４（ｂ）に示すように、運転状態パターンメモリ３４と簡易復旧作業パターンメモリ３５とが設けられている。運転状態パターンメモリ３４内には、エレベータの運転状態３２を、１Ｆの乗場呼び登録装置１３に設けられたかご位置表示器１５にドットパターンとして表示する場合の変換表が記憶されている。
【００４８】
具体的には、かご位置表示器１５は、図４（ａ）に示すように、７行×１１列のドットマトリックスで示されるので、前述したエレベータの運転状態３２を、「エレベータ運転状態」の標題を含む７つの項目（固定値）と、各項目に対して１個が選択される複数の状態が設定される。各項目は１行、１１ドットにおける先頭から３ドットで示し、状態は残り８ドットで示される。したがって、８ドットでは、２５６種類の状態を設定することが可能である。実施形態においては、各行に各項目が割付けられている。
【００４９】
簡易復旧作業パターンメモリ３５内には、簡易復旧作業メモリ３７に記憶された、各簡易復旧作業に対応する複数種類の簡易復旧作業のドットパターンが記憶されている。
【００５０】
運転状態収集部２７は、集計したエレベータの運転状態３２に対応する運転状態ドットパターンをパターンメモリ３３から読み出して、運転状態ドットパターン出力部３６へ書込む。さらに、運転状態収集部２７は、集計したエレベータの運転状態３２に対応する簡易復旧作業を簡易復旧作業メモリ３７から読出して、これに、対応する簡易復旧作業ドットパターンを、パターンメモリ３３から読み出して、簡易復旧作業ドットパターン出力部３８へ書込む。
【００５１】
表示切換部３９は、１Ｆの図２（ａ）に示す乗場呼び登録装置１３に取付けられたかご位置表示器１５の表示モードを、かご位置検出部１２で検出されたかご位置を表示する表示モード、又は運転状態ドットパターンと簡易復旧作業ドットパターンの表示モードに切換える。
【００５２】
具体的には、図２（ａ）に示す１Ｆの乗場呼び登録装置１３の呼びボタン１４を押し続けた状態で、パーキングスイッチ１７を投入し、その後呼びボタン１４を開放すると、かご位置の表示モードからドットパターンの表示モードに切換わる。
【００５３】
図５は、エレベータ制御装置２の動作を示す流れ図である。異常検出部２９が地震計２８で地震発生等の異常発生を検出すると（ステップＳ１）、エレベータの図６（ｂ）に示す運転状態３２を検出し（Ｓ２）、この運転状態３２をドットパターン化する（Ｓ３）。さらに、この運転状態３２に対応する簡易復旧作業を決定し（Ｓ４）、この簡易復旧作業をドットパターン化する（Ｓ５）。
【００５４】
さらに、前述した１Ｆの乗場呼び登録装置１３の呼びボタン１４とパーキングスイッチ１７との組合せボタン操作が実施されると（Ｓ６）、かご位置表示器１５の表示モードを、かご位置の表示モードからドットパターンの表示モードに切換える（Ｓ８）。そして、運転状態ドットパターン出力部３６から送出された運転状態ドットパターン及び簡易復旧作業ドットパターン出力部３８から送出された運転状態ドットパターンをかご位置表示器１５に表示する（Ｓ９）。
【００５５】
通常のかご位置表示モードへの復旧操作が実施されると（Ｓ１０）、Ｓ１へ戻り、かご位置表示モードへの復旧操作がなされないと、異常が継続していると判断して、エレベータを停止する（Ｓ１１）。
【００５６】
なお、表示モードの切換操作が実施されない場合は、かご運転制御部１９における通常のかご１の運転制御が実施され、かご位置表示器１５には、かご位置検出部１２で検出されたかご１の現在位置がドット文字で表示される（Ｓ７）。
【００５７】
次に、前述したエレベータの関係者であるビルオーナー３が所持する携帯端末４を説明する。この携帯端末４は、図６（ａ）に示すように、市販のメール送受信機能及びカメラ機能を有する携帯電話にエレベータ点検用のアプリケーションソフトをインストールしたものである。この携帯端末４には、図６（ａ）に示すように、テンキーを含む操作部４０、例えば、図６（ｂ）に示すエレベータ運転状態３２を表示する表示部４１、マイク４２、スピーカ４３が設けられている。
【００５８】
図７は、携帯端末４の概略構成を示すブロック図である。通話部４５は操作部４０にて操作入力された通話先と音声通話回線を形成して、音声による通話を可能とする。メール送受信部４６はインターネットを介してメールの送受信を行う。カメラ４７は、操作部４０の指示に従って、エレベータの１Ｆの乗場呼び登録装置１３のかご位置表示器１５に表示されたドットパターンを撮影し、撮影したドットパターンの画像をパターン解析部４８へ送付する。
【００５９】
パターンメモリ５０は、エレベータ制御装置２のパターンメモリ３３と同一内容が記憶されている。そして、パターン解析部４８は、入力した運転状態のドットパターンを、パターンメモリ５０を用いて、元のエレベータの運転状態３２へ逆変換して、運転状態メモリ４９に書込む。さらに、パターン解析部４８は、入力した簡易復旧作業のドットパターンを、パターンメモリ５０を用いて、元の簡易復旧作業へ逆変換して、簡易復旧作業メモリ５１に書込む。各メモリ４９、５１に書込まれた運転状態、簡易復旧作業は、操作部４０の操作指示に従って、表示部４１に表示される。
【００６０】
図８は、携帯端末４の動作を示す流れ図である。電源が投入されると（Ｑ１）、動作モードを表示し（Ｑ２）、エレベータの点検モードが操作指定されると（Ｑ３）、表示されたドットパターンの撮影指示を表示する（Ｑ４）。
【００６１】
操作者（ビルオーナー３）がこの携帯端末４のカメラ４７で、かご位置表示器１５に表示された各ドットパターンを撮影すると（Ｑ５）、各ドットパターンの画像を読取り（Ｑ６）、ドットパターンの解析（逆変換）を実施して、元のエレベータの運転状態３２、元の簡易復旧作業を得て（Ｑ７）、先ず、エレベータの運転状態３２を表示部４１に表示する（Ｑ８）。次に、切換操作が実施されると（Ｑ９）、簡易復旧作業を表示部４１に表示する（Ｑ１０）。このエレベータの点検モードに対する終了操作が実施されると（Ｑ１１）、Ｑ３へ戻り、動作モードを表示する。
【００６２】
図９に、かご位置表示器１５、及び携帯端末４の表示部４２の表示変遷を示す。通常状態（ａ）においては、かご１が１Ｆに待機しているので、「１」が表示されている。前述した、表示モードの切換操作を実施すると、かご位置表示器１５が一定時間フリッカ表示となり（ｂ）、その後、ドットパターン表示となる（ｃ）。携帯端末４のカメラ４７で、ドットパターンを撮影すると、表示部４１にドットパターンが一時的に表示されたのち（ｄ）、ドットパターンに対応する元の運転状態３２が表示される（ｅ）。
【００６３】
このように構成された第１実施形態のエレベータ運転表示システムにおいては、例えば、地震等の異常が発生すると、地震計２８及び異常検出部２９が起動して、異常発生時点におけるエレベータの運転状態が収集されてドットパターンに変換されて、１Ｆの乗場に設けられたかご位置表示器１５にドット表示される。
【００６４】
このかご位置表示器１５に表示されたドットパターンは、例えばビルオーナー３や警備会社の警備員等の当該エレベータの関係者が所持する携帯端末４に組込まれているカメラ４７で撮影され、元の運転状態３２に復調されてこの携帯端末４の表示部４２に表示出力される。
【００６５】
したがって、ビルオーナー３や警備会社の警備員等の関係者は、異常発生時のエレベータの運転状態３２及びこの運転状態３２に対応する簡易復旧作業の詳細が簡単に把握できるので、たとえ、エレベータの保守管理会社の保守員がいなくても、エレベータに対して、簡易的な仮の復旧作業を実施でき、利用者の閉じ込め状態の長期化を防止できる。
【００６６】
さらに、簡易的な仮の復旧作業でエレベータを暫定的に再稼働でき、利用者に対するサービスをさらに向上できる。
【００６７】
また、既存のかご位置表示器１５を利用しているので、新規にハード構成部品を組込む必要ないので、既設のエレベータシステムに、この実施形態の機能を組込むことが可能となる。
【００６８】
（第２実施形態）
図１０は本発明の第２実施形態に係わるエレベータ運転状態表示システムにおけるエレベータ制御装置の動作を示す流れ図である。その他の構成は第１実施形態のエレベータ運転状態表示システムとほぼ同じである。
【００６９】
異常検出部２９が地震計２８で地震発生等の異常発生を検出すると（ステップＲ１）、エレベータの図６（ｂ）に示す運転状態３２を検出し（Ｒ２）、この運転状態３２をドットパターン化する（Ｒ３）。さらに、この運転状態３２に対応する簡易復旧作業を決定し（Ｒ４）、この簡易復旧作業をドットパターン化する（Ｒ５）。
【００７０】
さらに、かご位置表示器１５の表示モードを、かご位置の表示モードからドットパターンの表示モードに切換える（Ｒ６）。そして、運転状態ドットパターン出力部３６から送出された運転状態ドットパターン及び簡易復旧作業ドットパターン出力部３８から送出された運転状態ドットパターンをかご位置表示器１５に表示する（Ｒ７）。
【００７１】
通常のかご位置表示モードへの復旧操作が実施されると（Ｒ８）、Ｒ１へ戻り、かご位置表示モードへの復旧操作がなされないと、異常が継続していると判断して、エレベータを停止する（Ｒ９）。
【００７２】
なお、異常が検出されない場合は（Ｒ１）、かご運転制御部１９における通常のかご１の運転制御が実施され、かご位置表示器１５には、かご位置検出部１２で検出されたかご１の現在位置がドット文字で表示される（Ｒ１０）。
【００７３】
このように構成された第２実施形態のエレベータ運転状態表示システムにおいては、地震発生等の異常発生が検出されると、異常発生時のエレベータの運転状態３２のドットパターンが自動的に１階の乗場呼び登録装置１３のかご位置表示器１５に表示される。したがって、ビルオーナー３や警備会社の警備員等の関係者は、かご位置表示器１５の表示モードを変更するために、パーキングスイッチ１７と呼びボタン１４を用いた切換操作を実施する必要がない。
【００７４】
（第３実施形態）
図１１は本発明の第３実施形態に係わるエレベータ運転状態表示システムにおけるビルオーナー３や警備会社の警備員等の関係者が所持する携帯端末４ａの概略構成を示すブロック図である。図７に示す第１実施形態に係わるエレベータ運転状態表示システムの携帯端末４と同一部分には同一符号が付してある。したがって、重複する部分の詳細説明を省略する。また、その他の構成は第１実施形態のエレベータ運転状態表示システムとほぼ同じである。
【００７５】
この携帯端末４ａは、ドットパターンを撮影するカメラが組込まれていない。したがって、この携帯端末４ａにおいては、この携帯端末４ａを操作するビルオーナー３は、エレベータの１Ｆの乗場呼び登録装置１３のかご位置表示器１５に表示されたドットパターンを操作部４０のキー操作でキー入力する。具体的には、表示部４１に［７×１１］のドットパターンの入力画面が表示され、カーソルキーとエンターキーとで［７×１１］のドットパターンの各ドットに「０」、又は「１」を順番に設定していく。操作部４０のキー操作でキー入力されたドットパターンは、一旦、入力パターンメモリ５２に書込まれる。
【００７６】
パターンメモリ５０は、エレベータ制御装置１のパターンメモリ３３と同一内容が記憶されている。そして、パターン解析部４８は、入力パターンメモリ５２に書込まれている運転状態のドットパターンを読出して、パターンメモリ５０を用いて、元のエレベータの運転状態３２へ逆変換して、運転状態メモリ４９に書込む。さらに、パターン解析部４８は、入力パターンメモリ５２に書込まれている簡易復旧作業のドットパターンを読出して、パターンメモリ５０を用いて、元の簡易復旧作業へ逆変換して、簡易復旧作業メモリ５１に書込む。各メモリ４９、５１に書込まれた運転状態３２、簡易復旧作業は、操作部４０の操作指示に従って、表示部４１に表示される。
【００７７】
図１２は、携帯端末４ａの動作を示す流れ図である。電源が投入されると（Ｐ１）、動作モードを表示し（Ｐ２）、エレベータの点検モードが操作指定されると（Ｐ３）、先ず、最初に、表示部４１に［７×１１］のドットパターンの入力画面を表示して、運転状態のドットパターンの操作入力指示を促す（Ｐ４）。操作者（ビルオーナー３）が、かご位置表示器１５に表示された運転状態のドットパターンをマニュアル操作入力すると（Ｐ５）、ドットパターンの解析（逆変換）を実施して、元のエレベータの運転状態３２を得て（Ｐ６）、表示部４１に表示する（Ｐ７）。
【００７８】
次に、表示部４１に［７×１１］のドットパターンの入力画面を表示して、簡易復旧作業のドットパターンの操作入力指示を促す（Ｐ８）。操作者（ビルオーナー３）が、かご位置表示器１５に表示された簡易復旧作業のドットパターンをマニュアル操作入力すると（Ｐ９）、ドットパターンの解析（逆変換）を実施して、元のエレベータの簡易復旧作業を得て（Ｐ１０）、表示部４１に表示する（Ｐ１１）。
【００７９】
このエレベータの点検モードに対する終了操作が実施されると（Ｐ１２）、Ｐ２へ戻り、動作モードを表示する。
【００８０】
このように構成された第３実施形態のエレベータ運転状態表示システムにおいては、ビルオーナー３や警備会社の警備員等の関係者が所持する携帯端末４ａが、ドットパターンを撮影するカメラが組込まれていない場合においても、かご位置表示器１５に表示された運転状態のドットパターン、簡易復旧作業のドットパターンをキーボードを用いたマニュアル操作で入力可能であるので、上述した第１実施形態のエレベータ運転状態表示システムとほぼ同じ効果を奏することが可能である。
【００８１】
（第４実施形態）
図１３は本発明の第４実施形態に係わるエレベータ運転状態表示システムの概略構成図である。図１に示す第１実施形態のエレベータ運転状態表示システムと同一部分には、同一符号を付して、重複する部分の詳細説明を省略する。
【００８２】
この第４実施形態に係わるエレベータ運転状態表示システムおいては、建屋には、Ａ号機からＤ号機までの合計４台のエレベータが設置されている。Ａ号機からＤ号機までの合計４台のエレベータのかご１ａ、１ｂ、１ｃ、１ｄの上下移動は、それぞれ個別のかご制御部５２ａ、５２ｂ、５２ｃ、５２ｄで実施される。各階のエレベータホールには、Ａ号機からＤ号機までの各エレベータに共用される一つの乗場呼び登録装置１３が設けられている。
【００８３】
乗場呼び登録装置１３に設けられたかご位置表示器１５は、自己の乗場呼び登録装置１３で登録された乗場呼びが、かご移動制御部１９ａにて割当てられた１台のかご１ａ〜１ｄの現在位置を表示する。すなわち、自己の階へ向かってくるかご１ａ〜１ｄの現在位置が表示される。
【００８４】
かご移動制御部１９ａは、各階の乗場呼び登録装置１３で登録された各乗場呼びを、それぞれ登録されているかご呼びを考慮して最良のかご１ａ〜１ｄに割当てる。
【００８５】
異常検出部２９は地震検知信号を受信すると、かご運転制御部１９ａへ管制運転指示を送出する。さらに、異常検出部２９は運転状態収集部２７ａへ起動指示を送出する。運転状態収集部２７ａは、各かご１ａ〜１ｄ毎に図６（ｂ）に示すエレベータの運転状態３２を収集する。
【００８６】
運転状態収集部２７は、集計した各かご１ａ〜１ｄ毎の合計４枚のエレベータの運転状態に対応する４枚の運転状態ドットパターンをパターンメモリ３３から読出して、運転状態ドットパターン出力部３６へ書込む。さらに、運転状態収集部２７は、集計した合計４枚のエレベータの運転状態に対応する４枚の簡易復旧作業を簡易復旧作業メモリ３７から読出して、これに、対応する４枚の簡易復旧作業ドットパターンを、パターンメモリ３３から読出して、簡易復旧作業ドットパターン出力部３８へ書込む。
【００８７】
表示切換部３９は、１Ｆの図２（ａ）に示す乗場呼び登録装置１３に取付けられたかご位置表示器１５の表示モードを、かご位置検出部１２で検出されたかご位置の表示モード、又は運転状態ドットパターンと簡易復旧作業ドットパターンの表示モードに切換える。
【００８８】
動画像送信部５３は、運転状態ドットパターン出力部３６から出力された４枚の運転状態ドットパターンと、簡易復旧作業ドットパターン出力部３８された４枚の簡易復旧作業ドットパターンとを動画としてかご位置表示器１５に表示出力する。
【００８９】
図１４は、ビルオーナー３や警備会社の警備員等の関係者が所持する携帯端末４ｂの概略構成を示すブロック図である。図７に示す第１実施形態に係わるエレベータ運転状態表示システムの携帯端末４と同一部分には同一符号が付してある。したがって、重複する部分の詳細説明を省略する。
【００９０】
この実施形態の携帯端末４ｂには、動画を撮影できるカメラ５４が組込まれている。そして、カメラ５４は、操作部４０の指示に従って、エレベータの１Ｆの乗場呼び登録装置１３のかご位置表示器１５に表示されたドットパターンの動画を撮影し、動画解析部５５へ送出する。動画解析部５５は入力された動画を、４枚の運転状態ドットパターン５６ａと４枚の簡易復旧作業ドットパターン５６ｂに分解して、パターンメモリ５２を用いて、元の４枚の運転状態、４枚の簡易復旧作業に逆変換して、運転状態メモリ４９、簡易復旧作業メモリ５１に書込む。各メモリ４９、５１に書込まれた４枚の運転状態、４枚の簡易復旧作業は、操作部４０の操作指示に従って、表示部４１に表示される。
【００９１】
図１５は、この第４実施形態のエレベータ制御装置２ａの動作を示す流れ図である。
【００９２】
異常検出部２９が地震の異常発生を検出すると（ステップＴ１）、各かご１ａ〜１ｄ毎の運転状態３２を検出し（Ｔ２）、各かご１ａ〜１ｄ毎の運転状態３２をドットパターン化する（Ｔ３）。さらに、各かご１ａ〜１ｄ毎の運転状態３２に対応する４枚の簡易復旧作業を決定し（Ｔ４）、この各かご１ａ〜１ｄ毎の簡易復旧作業をドットパターン化する（Ｔ５）。そして、これらの８枚のドットパターンを動画に編集する（Ｔ６）。
【００９３】
さらに、前述した１Ｆの乗場呼び登録装置１３の呼びボタン１４とパーキングスイッチ１７との組合せボタン操作が実施されると（Ｔ７）、かご位置表示器１５の表示モードを、かご位置の表示モードからドットパターンの表示モードに切換える（Ｔ８）。そして、動画送信部５３は動画をかご位置表示器１５に表示する（Ｔ９）。
【００９４】
このドットパターンの表示モード時において、呼びボタン１４が押されると（Ｔ１０）、動画を静止画へ変更する（Ｔ１１）。そして、呼びボタン１４が押される毎に、動画を構成する８枚のドットパターンを静止画像として、かご位置表示器１５に順番に表示して行く（Ｔ１０〜Ｔ１２）。
【００９５】
また、呼びボタン１４を短時間で２回押す等の再スタート操作が実施されると（Ｔ１３）、動画を再度表示する（Ｔ１４）。
【００９６】
そして、通常のかご位置表示モードへの復旧操作が実施されると（Ｔ１５）、Ｔ１へ戻り、かご位置表示モードへの復旧操作がなされないと、異常が継続していると判断して、エレベータを停止する（Ｔ１６）。
【００９７】
なお、表示モードの切換操作が実施されない場合は、かご運転制御部１９における通常のかご１の運転制御が実施され、かご位置表示器１５には、かご位置検出部１２で検出されたかご１の現在位置がドット文字で表示される（Ｔ１７）。
【００９８】
このように構成された第４実施形態のエレベータ運転状態表示システムにおいては、例えば、建屋に複数台のエレベータ（かご１ａ〜１ｄ）が組込まれている場合等の異常発生時点におけるエレベータの運転状態のデータ量が多い場合は、この複数のエレベータの運転状態３２を複数枚のドットパターンに分割して、この複数枚のドットパターンを動画としてかご位置表示器１５に表示する。
【００９９】
そして、ビルオーナー３は、自己が所持する携帯端末４ｂで、この動画を撮影して、撮影した動画を元の複数のドットパターンに戻し、各ドットパターンからかご１ａ〜１ｄ毎の運転状態、簡易復旧作業を表示部４１で確認できる。
【０１００】
さらに、必要に応じて、一度、表示された動画を１コマ（１枚のドットパターン）毎に、表示させたり、再度動画を表示させることができる。したがって、運転状態、簡易復旧作業の重要項目の再確認を実施できる。
【０１０１】
なお、本発明は、上述した各実施形態に限定されるものではない。ビルオーナー３が所持する携帯端末として、ＰＡＤ（personal digital assistants）等であってもよい。
【図面の簡単な説明】
【０１０２】
【図１】本発明の第１実施形態に係わるエレベータ運転状態表示システムの概略構成図
【図２】同エレベータ運転状態表示システムの各階に設けられた乗場呼び登録装置を示す図
【図３】同エレベータ運転状態表示システムのかご内に設けられたかご呼び登録装置を示す図
【図４】同エレベータ運転状態表示システムにおけるドットパターンと運転状態との関係を示す図
【図５】同エレベータ運転状態表示システムにおけるエレベータ制御装置の動作を示す流れ図
【図６】同エレベータ運転状態表示システムにおける携帯端末及び運転状態を示す図
【図７】同携帯端末の概略構成を示すブロック図
【図８】同携帯端末の動作を示す流れ図
【図９】同エレベータ運転状態表示システムの全体動作の説明図
【図１０】本発明の第２実施形態に係わるエレベータ運転状態表示システムにおけるエレベータ制御装置の動作を示す流れ図
【図１１】本発明の第３実施形態に係わるエレベータ運転状態表示システムにおける携帯端末の概略構成を示すブロック図
【図１２】同携帯端末の動作を示す流れ図
【図１３】本発明の第３実施形態に係わるエレベータ運転状態表示システムの概略構成図
【図１４】同エレベータ運転状態表示システムにおける携帯端末の概略構成を示すブロック図
【図１５】同エレベータ運転状態表示システムにおけるエレベータ制御装置の動作を示す流れ図
【符号の説明】
【０１０３】
１，１ａ，１ｂ，１ｃ，１ｄ…かご、２，２ａ…エレベータ制御装置、３…ビルオーナー、４，４ａ、４ｂ…携帯端末、１２…かご位置検出部、１３…乗場呼び登録装置、１４…呼びボタン、１５…かご位置表示器、１９，１９ａ…かご運転制御部、２０…かご呼び登録装置、２７，２７ａ…運転状態収集部、２８…地震計、２９…異常検出部、３２…運転状態、３３，５０…パターンメモリ、３６…運転状態ドットパターン出力部、３７…簡易復旧作業メモリ、３８…簡易復旧作業ドットパターン出力部、３９…表示切換部、４０…操作部、４１…表示部、４７，５４…カメラ、４８…パターン解析部
【図１】
2008037519.tif 000003
【図２】
2008037519.tif 000004
【図３】
2008037519.tif 000005
【図４】
2008037519.tif 000006
【図５】
2008037519.tif 000007
【図６】
2008037519.tif 000008
【図７】
2008037519.tif 000009
【図８】
2008037519.tif 000010
【図９】
2008037519.tif 000011
【図１０】
2008037519.tif 000012
【図１１】
2008037519.tif 000013
【図１２】
2008037519.tif 000014
【図１３】
2008037519.tif 000015
【図１４】
2008037519.tif 000016
【図１５】
2008037519.tif 000017